(57)【要約】  【課題】  光ディスクに電子情報を記録するとともに、レーザビームを照射することによりその光ディスクのレーベル面に、記録する電子情報の内容を瞬時に認識できる可視情報を、効率良く、且つ、正確に記録することができる光ディスク装置を提供する。  【解決手段】  ビデオデータが記憶されるＨＤＤ２５と、ＤＶＤ５０に記録する可視情報としてのサムネイルであってＨＤＤ２５に記憶されているＤＶＤ５０に記録するビデオデータに含まれる少なくとも１つの静止画像を縮小したサムネイルの画像データを生成する画像データ生成手段２４ａと、ＤＶＤ５０に前記ビデオデータの記録を行う際に、前記ビデオデータに基づいて第１のレーザビームが照射されるように制御するとともに、前記画像データに基づいて第２のレーザビームが照射されるように制御するディスク制御部１７とを備える。【選択図】      図３
2006155811.tif 000002
【特許請求の範囲】
【請求項１】
グルーブが形成されており第１のレーザビームが照射されることにより電子情報の記録
がなされる情報記録層と、第１のレーザビームとは異なる波長帯域の第２のレーザビーム
が照射されることにより可視情報が記録されるレーベル層と、前記情報記録層とレーベル
層との間に設けられ第１のレーザビームについての反射率が第２のレーザビームについて
の反射率よりも高い二色性反射膜とを備えた光ディスクに対して、第１、第２のレーザビ
ームを前記情報記録層側から照射することにより電子情報及び可視情報の記録を行う光デ
ィスク装置であって、
第１のレーザビームを出射する第１のレーザダイオードと、第１のレーザダイオードを
駆動する第１のレーザダイオードドライバと、第２のレーザビームを出射する第２のレー
ザダイオードと、第２のレーザダイオードを駆動する第２のレーザダイオードドライバと
、第１のレーザビームを前記情報記録層に集光させるとともに第２のレーザビームを前記
レーベル層に集光させる対物レンズと、前記対物レンズを前記光ディスクの径方向に駆動
するトラッキングアクチュエータと、前記対物レンズを光軸方向に駆動するフォーカスア
クチュエータと、第１のレーザビームの前記二色性反射膜からの反射光を受光し受光した
反射光に基づく受光信号を出力する受光素子とを有する光ピックアップと、
前記受光信号に含まれる前記グルーブの位置情報に基づいて前記トラッキングアクチュ
エータを駆動して前記光ディスクに照射されるレーザビームのトラッキング制御を行うと
ともに、前記受光信号に含まれる前記情報記録層における第１のレーザビームの焦点情報
に基づいて前記フォーカスアクチュエータを駆動して前記光ディスクに照射されるレーザ
ビームのフォーカス制御を行うサーボ回路と、
動画情報が記憶される記憶手段と、
前記レーベル層に記録する可視情報としての縮小画像であって前記記憶手段に記憶され
ている前記情報記録層に記録する電子情報としての動画情報を構成する少なくとも１つの
チャプタの先頭画像、または、前記動画情報に含まれ選択された少なくとも１つの静止画
像を縮小した縮小画像の画像データを生成する画像データ生成手段と、
前記情報記録層に前記動画情報の記録を行う際に、前記動画情報に基づいて第１のレー
ザダイオードドライバに照射指示信号を与えるとともに、前記画像データに基づいて第２
のレーザダイオードドライバに照射指示信号を与える制御手段と、
を備えたことを特徴とする光ディスク装置。
【請求項２】
第１のレーザビームが照射されることにより電子情報の記録がなされ第２のレーザビー
ムが照射されることにより可視情報の記録がなされる光ディスクに対して、第１、第２の
レーザビームを照射することにより電子情報及び可視情報の記録を行う光ディスク装置で
あって、
動画情報が記憶される記憶手段と、
前記光ディスクに記録する可視情報としての縮小画像であって前記記憶手段に記憶され
ている前記光ディスクに記録する電子情報としての動画情報に含まれる少なくとも１つの
静止画像を縮小した縮小画像の画像データを生成する画像データ生成手段と、
前記光ディスクに前記動画情報の記録を行う際に、前記動画情報に基づいて第１のレー
ザビームが照射されるように制御するとともに、前記画像データに基づいて第２のレーザ
ビームが照射されるように制御する制御手段と、
を備えたことを特徴とする光ディスク装置。
【請求項３】
グルーブが形成されており第１のレーザビームが照射されることにより電子情報の記録
がなされる情報記録層と、第１のレーザビームとは異なる波長帯域の第２のレーザビーム
が照射されることにより可視情報が記録されるレーベル層と、前記情報記録層とレーベル
層との間に設けられ第１のレーザビームについての反射率が第２のレーザビームについて
の反射率よりも高い二色性反射膜とを備えた光ディスクに対して、第１、第２のレーザビ
ームを前記情報記録層側から照射することにより電子情報及び可視情報の記録を行う光デ
ィスク装置であって、
動画情報が記憶される記憶手段と、
前記レーベル層に記録する可視情報としての縮小画像であって前記記憶手段に記憶され
ている前記情報記録層に記録する電子情報としての動画情報に含まれる少なくとも１つの
静止画像を縮小した縮小画像の画像データを生成する画像データ生成手段と、
前記情報記録層に前記動画情報の記録を行う際に、前記動画情報に基づいて第１のレー
ザダイオードドライバに照射指示信号を与えるとともに、前記画像データに基づいて第２
のレーザダイオードドライバに照射指示信号を与える制御手段と、
を備えたことを特徴とする光ディスク装置。
【請求項４】
前記画像データ生成手段は、前記情報記録層に記録する動画情報を構成する少なくとも
１つのチャプタの先頭画像を縮小した縮小画像の画像データを生成することを特徴とする
請求項３に記載の光ディスク装置。
【請求項５】
前記画像データ生成手段は、前記情報記録層に記録する動画情報に含まれ選択された少
なくとも１つの静止画像を縮小した縮小画像の画像データを生成することを特徴とする請
求項３に記載の光ディスク装置。
【請求項６】
第１のレーザビームを出射する第１のレーザダイオードと、第１のレーザダイオードを
駆動する第１のレーザダイオードドライバと、第２のレーザビームを出射する第２のレー
ザダイオードと、第２のレーザダイオードを駆動する第２のレーザダイオードドライバと
、第１のレーザビームを前記情報記録層に集光させるとともに第２のレーザビームを前記
レーベル層に集光させる対物レンズと、前記対物レンズを前記光ディスクの径方向に駆動
するトラッキングアクチュエータと、前記対物レンズを光軸方向に駆動するフォーカスア
クチュエータと、第１のレーザビームの前記二色性反射膜からの反射光を受光し受光した
反射光に基づく受光信号を出力する受光素子とを有する光ピックアップと、
前記受光信号に含まれる前記グルーブの位置情報に基づいて前記トラッキングアクチュ
エータを駆動して前記光ディスクに照射されるレーザビームのトラッキング制御を行うと
ともに、前記受光信号に含まれる前記情報記録層における第１のレーザビームの焦点情報
に基づいて前記フォーカスアクチュエータを駆動して前記光ディスクに照射されるレーザ
ビームのフォーカス制御を行うサーボ回路と、
をさらに備え、前記制御手段は、前記情報記録層に前記動画情報の記録を行う際に、前
記動画情報に基づいて第１のレーザダイオードドライバに照射指示信号を与えるとともに
、前記画像データに基づいて第２のレーザダイオードドライバに照射指示信号を与えるこ
とを特徴とする請求項３〜請求項５のいずれかに記載の光ディスク装置。
【発明の詳細な説明】
【技術分野】
【０００１】
本発明は、光ディスクに対してレーザビームを照射することにより電子情報及び可視情
報を記録する光ディスク装置に関するものである。
【背景技術】
【０００２】
従来から、ＣＤ（Compact Disk：コンパクトディスク）やＤＶＤ（Digital Versatile 
Disk：デジタルバーサタイルディスク）等の光ディスクに対してレーザビームを照射する
ことにより、その光ディスクに記録されている音楽情報や動画情報等の電子情報を再生し
たり、そのような電子情報をその光ディスクに記録したりする光ディスク装置が提供され
ている。
【０００３】
近年では、ハードディスクドライブ（ＨＤＤ：Hard Disk Drive）を内蔵したハイブリ
ッドタイプのものが各メーカーから多く提供されるようになってきている。その理由は、
例えば、テレビジョン放送番組をＤＶＤ等にダイレクトに録画すると、そのテレビジョン
放送番組の内容がつまらない場合には、その番組を録画したＤＶＤ等は録画したものの不
要となってしまうということがあるが、ハイブリッドタイプの場合は、テレビジョン放送
番組を一旦、ＨＤＤに録画し、再生してその内容をチェックした後にＤＶＤ等にコピーす
れば、残しておきたいテレビジョン放送番組だけをＤＶＤ等に記録することができるので
、無駄がなくなるという利点があるからである。
【０００４】
また、ＤＶＤ等の記録容量を考慮して録画したテレビジョン放送番組等をＨＤＤで編集
（例えば、ＣＭ（コマーシャル）をカット）した後にＤＶＤ等にコピーするようにすれば
、例えば、映画などの最後の部分がＤＶＤ等に入りきらないというようなことがなくなる
という利点もある。
【０００５】
ところで、そのような光ディスク装置で光ディスクに電子情報の記録を行う場合、その
記録した電子情報の内容が外観で認識できれば便利であるため、ユーザは専用のプリンタ
装置を用いて、その光ディスクに記録した電子情報の内容を示す文字等（例えば、曲名や
映画タイトル等）を円形のシートに印刷し、このシートをその光ディスクの記録面と反対
の面（以下、レーベル面という）に貼り付けるというようなことを行っていた。
【０００６】
しかしながら、この方法では、ユーザは、専用のプリンタ装置を用意する必要があり、
また、その専用プリンタ装置でのシートの印刷、印刷されたシートの光ディスクへの貼り
付け等の煩雑な作業を行う必要もあった。
【０００７】
そこで、再生時や記録時に光ディスクの記録面に照射されるレーザビームを光ディスク
のレーベル面となる所定領域に照射し、照射した部分の発色等を変化させることにより、
光ディスクの記録内容を可視的に認識するための可視情報（例えば、曲名や映画タイトル
等を示す文字等からなる画像）を光ディスクのレーベル面に記録（以下、印刷ともいう）
できる光ディスク装置が提案されている（例えば、特許文献１、２参照）。
【０００８】
また、光ディスクの情報記録面に光スポットを形成して情報記録を行う光ピックアップ
と、情報記録面側の反対面となるラベル印刷面に光スポットを形成してラベル印刷を行う
印字ヘッドとを有する情報記録再生装置もある（例えば、特許文献３参照）。
【０００９】
また、基板上に、少なくとも、光記録層と、光反射層と、保護層または接着層および基
板と、が順次形成された光記録媒体であって、前記保護層または基板上の少なくとも一部
に接着剤層を介して剥離シートが設けられていることを特徴とする光記録媒体がある（例
えば、特許文献４参照）。
【特許文献１】特開２００２−２０３３２１号公報
【特許文献２】特開２００４−２１３８０２号公報
【特許文献３】特開２００２−２５１８６２号公報
【特許文献４】特開２００３−２２８８８６号公報
【発明の開示】
【発明が解決しようとする課題】
【００１０】
しかしながら、特許文献１、２に記載の従来の光ディスク装置を用いても、ユーザは依
然として煩雑な作業を行う必要があった。即ち、ユーザは、電子情報の記録を行う際には
、光ディスクの記録面側にレーザビームが照射されるように光ディスクを光ディスク装置
に装着し、光ディスクに可視情報の記録を行う際には、光ディスクのレーベル面側にレー
ザビームが照射されるように光ディスクを裏返して再装着するという煩雑な作業を行う必
要があった。
【００１１】
さらに、電子情報の記録と可視情報の記録（レーベル印刷）とを別々に行う必要がある
ので、光ディスクに電子情報の記録とレーベル印刷の両方を行うためには多くの時間がか
かり、効率が悪いという問題もあった。
【００１２】
これに対し、特許文献３に記載の従来の情報記録再生装置は、光ディスクを裏返して再
装着するという煩雑な作業を行うことなく、光ディスクへの情報の記録と印刷を同じ装置
で行うことはできるが、特許文献３には情報の記録と印刷を同時に行うという記述はされ
ていない。また、光ディスクを挟むように対向して配置される光ピックアップと印字ヘッ
ドとを必要とするので、構成が複雑になるとともに、装置が大型化するという問題があっ
た。
【００１３】
また、特許文献４に記載の従来の光記録媒体は、記録したデータ等を示す代表的な画像
や文字情報等を有する情報シートをレーベル面に貼り付けやすくすることはできるが、そ
のような情報シートを作成するプリンタ等の他の装置が必要であり、また、その作成に手
間がかかるという問題があった。
【００１４】
また、光ディスクに記録される可視情報が、記録する電子情報の名称等の文字情報であ
る場合、ユーザはその記録した電子情報の内容が瞬時に認識できないことがあるという問
題もあった。
【００１５】
本発明は、上記の問題点を解決するためになされたもので、光ディスクに電子情報を記
録するとともに、光ディスクを裏返して装着するという煩雑な作業を行うことなく、レー
ザビームを照射することによりその光ディスクのレーベル面に、記録する電子情報の内容
を瞬時に認識できる可視情報を、効率良く、且つ、正確に記録することができる光ディス
ク装置を提供することを目的とする。
【課題を解決するための手段】
【００１６】
上記目的を達成するために、請求項１の発明はグルーブが形成されており第１のレーザ
ビームが照射されることにより電子情報の記録がなされる情報記録層と、第１のレーザビ
ームとは異なる波長帯域の第２のレーザビームが照射されることにより可視情報が記録さ
れるレーベル層と、前記情報記録層とレーベル層との間に設けられ第１のレーザビームに
ついての反射率が第２のレーザビームについての反射率よりも高い二色性反射膜とを備え
た光ディスクに対して、第１、第２のレーザビームを前記情報記録層側から照射すること
により電子情報及び可視情報の記録を行う光ディスク装置であって、第１のレーザビーム
を出射する第１のレーザダイオードと、第１のレーザダイオードを駆動する第１のレーザ
ダイオードドライバと、第２のレーザビームを出射する第２のレーザダイオードと、第２
のレーザダイオードを駆動する第２のレーザダイオードドライバと、第１のレーザビーム
を前記情報記録層に集光させるとともに第２のレーザビームを前記レーベル層に集光させ
る対物レンズと、前記対物レンズを前記光ディスクの径方向に駆動するトラッキングアク
チュエータと、前記対物レンズを光軸方向に駆動するフォーカスアクチュエータと、第１
のレーザビームの前記二色性反射膜からの反射光を受光し受光した反射光に基づく受光信
号を出力する受光素子とを有する光ピックアップと、前記受光信号に含まれる前記グルー
ブの位置情報に基づいて前記トラッキングアクチュエータを駆動して前記光ディスクに照
射されるレーザビームのトラッキング制御を行うとともに、前記受光信号に含まれる前記
情報記録層における第１のレーザビームの焦点情報に基づいて前記フォーカスアクチュエ
ータを駆動して前記光ディスクに照射されるレーザビームのフォーカス制御を行うサーボ
回路と、動画情報が記憶される記憶手段と、前記レーベル層に記録する可視情報としての
縮小画像であって前記記憶手段に記憶されている前記情報記録層に記録する電子情報とし
ての動画情報を構成する少なくとも１つのチャプタの先頭画像、または、前記動画情報に
含まれ選択された少なくとも１つの静止画像を縮小した縮小画像の画像データを生成する
画像データ生成手段と、前記情報記録層に前記動画情報の記録を行う際に、前記動画情報
に基づいて第１のレーザダイオードドライバに照射指示信号を与えるとともに、前記画像
データに基づいて第２のレーザダイオードドライバに照射指示信号を与える制御手段とを
備えたことを特徴とする光ディスク装置を提供する。
【００１７】
この構成によれば、光ディスクに対して記憶手段に記憶されている動画情報の記録を行
う際には、制御手段がその動画情報に基づいて第１のレーザダイオードドライバを駆動す
ることにより、第１のレーザダイオードから第１のレーザビームが前記光ディスクの情報
記録層に照射され、前記光ディスクの情報記録層に前記動画情報の記録がなされる。尚、
このとき、照射された第１のレーザビームは前記光ディスクの二色性反射膜で反射される
ので、前記光ディスクのレーベル層に影響を及ぼすことはない。
【００１８】
また、画像データ生成手段は、前記情報記録層に記録する動画情報を構成する少なくと
も１つのチャプタの先頭画像を縮小した縮小画像の画像データ、または、前記動画情報に
含まれ選択された少なくとも１つの静止画像を縮小した縮小画像の画像データを生成する
。そして、前記動画情報の記録が行われる際に、前記制御手段が、前記画像データ生成手
段で生成された画像データに基づいて第２のレーザダイオードドライバを駆動することに
より、第２のレーザダイオードから第２のレーザビームが前記光ディスクのレーベル層に
照射され、前記光ディスクのレーベル層に前記縮小画像の記録がなされる。尚、このとき
、照射された第２のレーザビームは前記二色性反射膜を透過して前記レーベル層に到達す
る。
【００１９】
また、このとき、サーボ回路により、照射された第１のレーザビームの二色性反射膜か
らの反射光に基づく受光信号に含まれる前記光ディスクのグルーブの位置情報に基づいて
対物レンズを駆動するトラッキングアクチュエータが駆動され光ディスクに照射されるレ
ーザビームのトラッキング制御が行われる。さらに、同時に、サーボ回路により、前記受
光信号に含まれる前記光ディスクの情報記録層における第１のレーザビームの焦点情報に
基づいて対物レンズを駆動するフォーカスアクチュエータが駆動され光ディスクに照射さ
れるレーザビームのフォーカス制御が行われる。これにより、第１、第２のレーザビーム
は同じ対物レンズにより集光されることから、第１、第２のレーザビームの両方ともにト
ラッキング制御及びフォーカス制御がなされることになる。
【００２０】
請求項２の発明は、第１のレーザビームが照射されることにより電子情報の記録がなさ
れ第２のレーザビームが照射されることにより可視情報の記録がなされる光ディスクに対
して、第１、第２のレーザビームを照射することにより電子情報及び可視情報の記録を行
う光ディスク装置であって、動画情報が記憶される記憶手段と、前記光ディスクに記録す
る可視情報としての縮小画像であって前記記憶手段に記憶されている前記光ディスクに記
録する電子情報としての動画情報に含まれる少なくとも１つの静止画像を縮小した縮小画
像の画像データを生成する画像データ生成手段と、前記光ディスクに前記動画情報の記録
を行う際に、前記動画情報に基づいて第１のレーザビームが照射されるように制御すると
ともに、前記画像データに基づいて第２のレーザビームが照射されるように制御する制御
手段とを備えたことを特徴とする光ディスク装置を提供する。
【００２１】
この構成によれば、光ディスクに対して記憶手段に記憶されている動画情報の記録を行
う際には、制御手段がその動画情報に基づいて第１のレーザビームが前記光ディスクに照
射されるように制御することにより、前記光ディスクに前記動画情報の記録がなされる。
【００２２】
また、このとき、前記制御手段が画像データ生成手段の生成した前記光ディスクに記録
する動画情報に含まれる少なくとも１つの静止画像を縮小した縮小画像の画像データに基
づいて第２のレーザビームが前記光ディスクに照射されるように制御することにより、前
記光ディスクに前記縮小画像の記録がなされる。
【００２３】
請求項３の発明は、グルーブが形成されており第１のレーザビームが照射されることに
より電子情報の記録がなされる情報記録層と、第１のレーザビームとは異なる波長帯域の
第２のレーザビームが照射されることにより可視情報が記録されるレーベル層と、前記情
報記録層とレーベル層との間に設けられ第１のレーザビームについての反射率が第２のレ
ーザビームについての反射率よりも高い二色性反射膜とを備えた光ディスクに対して、第
１、第２のレーザビームを前記情報記録層側から照射することにより電子情報及び可視情
報の記録を行う光ディスク装置であって、動画情報が記憶される記憶手段と、前記レーベ
ル層に記録する可視情報としての縮小画像であって前記記憶手段に記憶されている前記情
報記録層に記録する電子情報としての動画情報に含まれる少なくとも１つの静止画像を縮
小した縮小画像の画像データを生成する画像データ生成手段と、前記情報記録層に前記動
画情報の記録を行う際に、前記動画情報に基づいて第１のレーザダイオードドライバに照
射指示信号を与えるとともに、前記画像データに基づいて第２のレーザダイオードドライ
バに照射指示信号を与える制御手段とを備えたことを特徴とする光ディスク装置を提供す
る。
【００２４】
この構成によれば、光ディスクに対して記憶手段に記憶されている動画情報の記録を行
う際には、制御手段が、その動画情報に基づいて第１のレーザビームが前記光ディスクの
情報記録層に照射されるように制御する。これにより、前記光ディスクの情報記録層に前
記動画情報の記録がなされる。尚、このとき、照射された第１のレーザビームは前記光デ
ィスクの二色性反射膜で反射されるので、前記光ディスクのレーベル層に影響を及ぼすこ
とはない。
【００２５】
また、このとき、前記制御手段が、画像データ生成手段が生成した前記光ディスクに記
録する動画情報に含まれる少なくとも１つの静止画像を縮小した縮小画像の画像データに
基づいて第２のレーザダイオードドライバを駆動することにより、第２のレーザダイオー
ドから第２のレーザビームが前記光ディスクのレーベル層に照射され、これにより、前記
光ディスクに前記縮小画像の記録がなされる。尚、このとき、照射された第２のレーザビ
ームは前記二色性反射膜を透過して前記レーベル層に到達する。
【００２６】
請求項４の発明では、請求項３の発明において、前記画像データ生成手段は、前記情報
記録層に記録する動画情報を構成する少なくとも１つのチャプタの先頭画像を縮小した縮
小画像の画像データを生成するようにしている。このようにすれば、前記レーベル層に印
刷され、記録される動画情報の内容を瞬時に認識できる画像の画像データを生成すること
が容易となる。
【００２７】
請求項５の発明では、請求項３の発明において、前記画像データ生成手段は、前記情報
記録層に記録する動画情報に含まれ選択された少なくとも１つの静止画像を縮小した縮小
画像の画像データを生成するようにしている。このようにすれば、前記レーベル層に印刷
され、記録される動画情報の内容を瞬時に認識できる画像の画像データを生成することが
容易となる。
【００２８】
請求項６の発明では、請求項３〜請求項５のいずれか発明において、第１のレーザビー
ムを出射する第１のレーザダイオードと、第１のレーザダイオードを駆動する第１のレー
ザダイオードドライバと、第２のレーザビームを出射する第２のレーザダイオードと、第
２のレーザダイオードを駆動する第２のレーザダイオードドライバと、第１のレーザビー
ムを前記情報記録層に集光させるとともに第２のレーザビームを前記レーベル層に集光さ
せる対物レンズと、前記対物レンズを前記光ディスクの径方向に駆動するトラッキングア
クチュエータと、前記対物レンズを光軸方向に駆動するフォーカスアクチュエータと、第
１のレーザビームの前記二色性反射膜からの反射光を受光し受光した反射光に基づく受光
信号を出力する受光素子とを有する光ピックアップと、前記受光信号に含まれる前記グル
ーブの位置情報に基づいて前記トラッキングアクチュエータを駆動して前記光ディスクに
照射されるレーザビームのトラッキング制御を行うとともに、前記受光信号に含まれる前
記情報記録層における第１のレーザビームの焦点情報に基づいて前記フォーカスアクチュ
エータを駆動して前記光ディスクに照射されるレーザビームのフォーカス制御を行うサー
ボ回路とをさらに備え、前記制御手段は、前記情報記録層に前記動画情報の記録を行う際
に、前記動画情報に基づいて第１のレーザダイオードドライバに照射指示信号を与えると
ともに、前記画像データに基づいて第２のレーザダイオードドライバに照射指示信号を与
えることを特徴としている。
【００２９】
この構成によれば、サーボ回路により、照射された第１のレーザビームの二色性反射膜
からの反射光に基づく受光信号に含まれる前記光ディスクのグルーブの位置情報に基づい
て対物レンズを駆動するトラッキングアクチュエータが駆動され光ディスクに照射される
レーザビームのトラッキング制御が行われる。さらに、同時に、サーボ回路により、前記
受光信号に含まれる前記光ディスクの情報記録層における第１のレーザビームの焦点情報
に基づいて対物レンズを駆動するフォーカスアクチュエータが駆動され光ディスクに照射
されるレーザビームのフォーカス制御が行われる。これにより、第１、第２のレーザビー
ムは同じ対物レンズにより集光されることから、第１、第２のレーザビームの両方ともに
トラッキング制御及びフォーカス制御がなされることになる。
【００３０】
尚、本発明が適用される光ディスク装置において、「可視情報」とは、文字、記号、イ
ラストや写真等の画像、幾何学的な模様など、目視で読み取ることが可能な情報を意味し
、「電子情報」とは、デジタル記号で記録されている情報など、その内容を何らかの再生
装置で読み取る情報を意味する。
【発明の効果】
【００３１】
以上のように本発明によれば、光ディスクに対して記憶手段に記憶されている動画情報
（電子情報）の記録を行う際には、制御手段がその動画情報に基づいて第１のレーザビー
ムが前記光ディスクに照射されるように制御することにより、前記光ディスクに前記動画
情報の記録がなされ、また、このとき、前記制御手段が画像データ生成手段の生成した前
記光ディスクに記録する動画情報に含まれる少なくとも１つの静止画像を縮小した縮小画
像（可視情報）の画像データに基づいて第２のレーザビームが前記光ディスクに照射され
るように制御することにより、前記光ディスクに前記縮小画像の記録がなされるので、ユ
ーザは、目視により、記録された動画情報の内容を瞬時に認識することができる。
【００３２】
また、第１、第２のレーザビームをともに前記光ディスクの情報記録層側から照射して
前記動画情報の記録と前記縮小画像の記録とを行うので、レーベル印刷を行うために、ユ
ーザが、専用のプリンタ装置を用意したり、光ディスクに別途、レーベル印刷したシート
を貼ったり、或いは、光ディスクを裏返して再度装置に装着したりするような煩雑な作業
をする必要がなくなる。
【００３３】
また、本発明によれば、光ディスクに対して前記動画情報の記録と前記縮小画像の記録
とを同時進行で行うので、光ディスクに前記動画情報及び縮小画像の記録を行うために要
する時間を短縮することができる。即ち、光ディスクのレーベル層に前記縮小画像を効率
良く印刷することができる。
【００３４】
また、前記縮小画像の印刷のために照射される第２のレーザビームには、前記動画情報
の記録のために照射される第１のレーザビームとともにトラッキング制御及びフォーカス
制御がなされるので、光ディスクのレーベル層に前記縮小画像を正確に形成することがで
きる。
【発明を実施するための最良の形態】
【００３５】
以下、添付図面を参照しつつ、本発明の実施形態について説明するが、先ず、本実施形
態に係る光ディスク装置が対象とする光ディスクの構成について説明し、その後、本実施
形態に係る光ディスク装置の構成及び動作等について説明する。
【００３６】
図１は、本実施形態で想定した光ディスクの構造を示す側断面図である。ここでは、光
ディスクとして、ＣＤの再生及び／または記録機能を付随したＤＶＤの記録及び再生を行
う光ディスク装置を用いて、ＤＶＤ情報の記録及び再生が可能であるとともに、ＣＤにつ
いてのレーザビームを照射することによりレーベル印刷を行うことを可能にしたＤＶＤを
想定する。
【００３７】
図１に示すＤＶＤ５０は、その厚みＴを１．２ｍｍとされ、また、基板５１、情報記録
層となる記録色素膜５２、色フィルタ（二色性反射膜）５３、レーベル層となる可視光特
性変化層５５、及び、基板５４が、順に積層されて構成されている。尚、色フィルタ５３
と可視光特性変化層５５との間には、色フィルタ５３と可視光特性変化層５５とを貼り合
わせるための接着剤等から成る透明中間層５６が存在している。また、図１はＤＶＤ５０
の構造を模式的に示しており、各層の形状、寸法比率等はこの図に示される通りではない
。
【００３８】
これらの各層のうち、記録色素膜５２の上には螺旋状にグルーブ５２ａが形成されてお
り、ＤＶＤ５０に電子情報の記録をする際には、このグルーブ５２ａ上にレーザビームが
集光されるように制御（フォーカス制御）されるとともに、このグルーブ５２ａに沿って
レーザビームが照射されるように制御（トラッキング制御）され、グルーブ５２ａ上に記
録データ長に対応するピットが形成される。
【００３９】
また、ＤＶＤ５０に記録されている情報を再生する際にも、同様に、このグルーブ５２
ａ上にレーザビームが集光されるように制御（フォーカス制御）されるとともに、このグ
ルーブ５２ａに沿ってレーザビームが照射されるように制御（トラッキング制御）され、
このときにＤＶＤ５０から反射されるそのレーザビームの反射光の信号を復調して、記録
されている電子情報の再生が行われる。
【００４０】
基板５１、５４は、例えば、ポリカーボネイト樹脂から成る。
【００４１】
また、色フィルタ５３は、Ｚｎｓ、ＳｉＯ２、ＳｉＮ等の誘電体膜またはそれらの積層
膜から形成された二色性反射膜から構成されている。色フィルタ５３は、積層膜によって
構成された方が単層の膜によって構成されるよりも所望の二色性を大きくできるため、好
ましい。
【００４２】
尚、色フィルタ５３は、誘電体膜から成る二色性反射膜に限らず、以下の化学式（化１
）として示すような構造を有するシアニン色素ＮＫ−６７（日本感光色素研究所製）等の
色素によって構成されても良い。
【００４３】
【化１】
2006155811.tif 000003
【００４４】
図２に、上記したようなシアニン色素の光学的特性として、当該シアニン色素の吸光度
及び屈折率を示す。
【００４５】
図２を参照して、上記したようなシアニン色素は、波長５５０ｎｍ近傍に吸光度の極大
を有している。そして、当該吸光度が低下し始める６５０ｎｍ近傍の領域で、屈折率が極
大値を示している。尚、このシアニン色素の屈折率の極大値は３．０程度である。従って
、色フィルタ５３は、その膜厚を最適化され、かつ薄膜化されることにより、波長６５０
ｎｍ近傍において高い反射率を呈することができる。また、シアニン色素は、ＣＤプレー
ヤにおいて情報を再生させる際に利用される光の波長である７８０ｎｍ近傍の光をほとん
ど吸収しないことから、色フィルタ５３は、高い透過率を示す。
【００４６】
尚、本実施の形態において色フィルタ５３を構成する層は、少なくともＤＶＤの記録に
利用される帯域（６３０ｎｍ〜６９０ｎｍ帯域）の反射率が、ＣＤの再生に利用される帯
域（７７０ｎｍ〜８００ｎｍ帯域）の反射率よりも高い層によって構成される。尚、色フ
ィルタ５３を構成する層は、ＤＶＤの記録に利用される帯域の屈折率が、当該帯域で３０
％以上の反射率を与えるような値を有し、また、ＣＤの再生に利用される帯域の透過率が
９０％以上である層によって構成されることが好ましい。
【００４７】
本実施の形態のＤＶＤ５０においてレーベル層となる可視光特性変化層５５は、所定の
帯域の光（例えば、波長７８０ｎｍの赤外光）を照射されることにより、照射された部位
のみ局部的に変色（または変形）する材料から成り、例えば、高分子膜から構成される。
高分子膜としては、例えば、感光材や感熱材等のように、光や熱を与えられることにより
色の変化（例えば、白色から黒等の有色への、または、透明から黒等の有色不透明への変
化）がある材料の層（感光層、感熱層等）など、所定のパワー以上の集光されたレーザビ
ームを照射されることによって、当該照射された箇所の基板５４からの可視光特性が変化
する材料から成る層が挙げられる。ここで言う可視光特性としては、視認される色につい
ての、色相、明度、及び、彩度や、吸光特性、反射率、透過率、光散乱等が考えられる。
【００４８】
また、可視光特性変化層を有する従来の光ディスクの場合、その可視光特性変化層には
、照射される所定の帯域の光（例えば、波長７８０ｎｍの赤外光）を案内するためのグル
ーブを形成する必要があったが、この可視光特性変化層５５には、そのようなグルーブを
形成する必要はない。従って、可視光特性変化層にグルーブを形成するための製造工程や
その工程で使用される金型等が不要となるので、ＤＶＤ５０の製造コストは従来のものよ
りも低減することになる。
【００４９】
ＤＶＤ５０は、上記のような各層を備えるよう製造されるのであれば、製造方法を問う
ものではないが、例えば、基板５１上に記録色素膜５２及び色フィルタ５３を蒸着させた
ものと、基板５４上に可視光特性変化層５５を蒸着させたものとを、色フィルタ５３側に
可視光特性変化層５５側を対抗させて透明中間層５６を構成する接着剤等で貼り合わせる
ことにより製造することができる。尚、透明中間層５６は透明であることが好ましい。
【００５０】
次に、上述したＤＶＤ５０に電子情報の記録及びレーベル印刷を行うことのできる光デ
ィスク装置を説明する。図３は、本実施形態に係るＤＶＤレコーダ（光ディスク装置）の
構成を示すブロック図である。図３に示すＤＶＤレコーダは、ＨＤＤを内蔵し、ＣＤの再
生及び／または記録機能を付随したＤＶＤの再生及び記録を行うＤＶＤレコーダである。
【００５１】
図３に示すように、ＤＶＤレコーダ１００は、ディスクドライバ１１０と本体部１２０
とから構成されている。ディスクドライバ１１０は、光ピックアップ１０、フロントエン
ドプロセッサ（ＦＥＰ）１３、レーザパワーコントロール（ＬＰＣ）回路１４ａ、１４ｂ
、サーボ回路１５、モータ駆動回路１６、ディスク制御部１７、ステッピングモータ１８
、ドライバ１９、モータコントローラ２０、スピンドルモータ２１を備えている。
【００５２】
スピンドルモータ２１は、記録再生の対象となるＤＶＤ５０を回転駆動するためのモー
タであり、モータ駆動回路１６によりその回転数が制御される。モータ駆動回路１６には
、ディスク制御部１７からの指示信号、及び、スピンドルモータ２１またはスピンドルモ
ータ２１に設けられたセンサ等からフィードバックされるスピンドルモータ２１の回転数
に応じた周波数のパルス信号が供給され、モータ駆動回路１６は、これらの供給される信
号に基づいてスピンドルモータ２１の回転制御を行う。尚、スピンドルモータ２１の回転
駆動方式には、ＤＶＤ５０を角速度一定で回転駆動する方式（ＣＡＶ方式：Constant Ang
ular Velocity）や、一定の記録線速度となるようにＤＶＤ５０を回転駆動する方式（Ｃ
ＬＶ方式：Constant Linear Velocity）があるが、いずれを用いるようにしてもよい。
【００５３】
光ピックアップ１０は、スピンドルモータ２１により回転駆動されるＤＶＤ５０に対し
てレーザビームを照射するユニットである。
【００５４】
図４に光ピックアップ１０の構成を示す。図４に示すように、光ピックアップ１０は、
ＤＶＤの再生または記録用に使用される波長６６０ｎｍの赤色光であるレーザビームＬ１
を出射するレーザダイオード３７ａと、ＣＤの再生または記録用及びレーベル印刷用に使
用される波長７８０ｎｍの赤外光であるレーザビームＬ２を出射するレーザダイオード３
７ｂと、レーザダイオード３７ａを駆動するレーザダイオードドライバ（ＬＤＤ）１１ａ
と、レーザダイオード３７ｂを駆動するレーザダイオードドライバ（ＬＤＤ）１１ｂと、
レーザビームＬ１、Ｌ２をＤＶＤ５０（記録色素膜５２や可視光特性変化層５５）に集光
させるための光学系４０と、反射光を受光する受光素子３６と、受光素子３６からの受光
信号を増幅するヘッドアンプ（ＨＡ）１２とを備えている。
【００５５】
ＬＤＤ１１ａは、図３に示すディスク制御部１７からの指示信号と、ＬＰＣ回路１４ａ
からの制御信号に従ってレーザダイオード３７ａを駆動し、ＬＤＤ１１ｂは、ディスク制
御部１７からの指示信号と、ＬＰＣ回路１４ｂからの制御信号に従ってレーザダイオード
３７ｂを駆動する。
【００５６】
レーザダイオード３７ａは、ＬＤＤ１１ａから駆動電流が供給されると、該駆動電流に
応じた強度のレーザビームＬ１を出射する。そして、レーザダイオード５３ａより出射さ
れたレーザビームＬ１は回折格子３８ａにより主ビームと２つの副ビーム（先行ビーム、
後行ビーム）に分離され、これら３つのレーザビームＬ１は偏光ビームスプリッタ３９ａ
、３９ｂ、コリメータレンズ３０、１／４波長板３１、対物レンズ３２を経て、図５に示
すように、ＤＶＤ５０の記録面である記録色素膜５２に集光される。
【００５７】
このレーザビームＬ１は、ＤＶＤ５０の色フィルタ５３において反射されるので、記録
色素膜５２に対する情報の再生または記録のために照射されるレーザビームＬ１が、可視
光特性変化層５５に対して、画像形成として意図しない画像を形成してしまうなどの悪影
響を及ぼすことを回避することができる。
【００５８】
そして、ＤＶＤ５０の色フィルタ５３で反射された３つのレーザビームＬ１は、再び、
対物レンズ３２、１／４波長板３１、コリメータレンズ３０、偏光ビームスプリッタ３９
ｂを透過し、偏向ビームスプリッタ３９ａで反射されて、シリンドリカルレンズ３３を経
て、受光素子３６に入射するようになっている。
【００５９】
そして、受光素子５６は、受光した信号をヘッドアンプ１２に出力し、該受光信号がヘ
ッドアンプ１２で増幅されて図３に示すＦＥＰ１３やサーボ回路１５に供給されるように
なっている。ＦＥＰ１３は、所定の変調が施されているこの受光信号を復調してディスク
制御部１７に供給する。
【００６０】
また、サーボ回路１５には、この受光信号に含まれる、トラッキング制御に使用される
グルーブ５２ａの位置情報や、フォーカス制御に使用される記録色素膜５２に集光してい
るレーザビームＬ１の焦点に関する情報（焦点情報）が供給されることになる。このトラ
ッキング制御、フォーカス制御については詳細を後述する。
【００６１】
一方、レーザダイオード３７ｂは、ＬＤＤ１１ｂから駆動電流が供給されると、該駆動
電流に応じた強度のレーザビームＬ２を出射する。そして、レーザダイオード５３ｂより
出射されたレーザビームＬ２は回折格子３８ｂにより主ビームと２つの副ビーム（先行ビ
ーム、後行ビーム）に分離され、これら３つのレーザビームＬ２は偏光ビームスプリッタ
３９ｂ、コリメータレンズ３０、１／４波長板３１、対物レンズ３２を経て、図５に示す
ように、ＤＶＤ５０のレーベル面である可視光特性変化層５５に集光される。尚、対物レ
ンズ３２にはホログラムが形成されており、これにより、入射するレーザビームの波長の
違いでスポット位置が異なるようになっている。
【００６２】
また、光ピックアップ１０は、図示しない２つのフロントモニタダイオードを有してお
り、レーザダイオード３７ａ、３７ｂがレーザビームを出射しているときに、それぞれの
出射光を受光した各フロントモニタダイオードに電流が生じ、その各電流が図３に示すＬ
ＰＣ回路１４ａ、１４ｂに供給されるようになっている。そして、ＬＰＣ回路１４ａ、１
４ｂは、それぞれ、ディスク制御部１７によって指示される最適レーザパワーの目標値と
一致する値のレーザパワーがレーザダイオード３７ａ、３７ｂから出射されるようにＬＤ
Ｄ１１ａ、１１ｂを制御する。ここで行われるＬＰＣ回路１４ａ、１４ｂによるレーザパ
ワー制御は、前記フロントモニタダイオードから供給される電流値を用い、目標となる強
度のレーザビームがレーザダイオード３７ａ、３７ｂから照射されるように制御するフィ
ードバック制御である。
【００６３】
対物レンズ３２は、フォーカスアクチュエータ３４及びトラッキングアクチュエータ３
５に保持されており、レーザビームＬ１、Ｌ２の光軸方向及びＤＶＤ５０の径方向に移動
できるようになっている。フォーカスアクチュエータ３４及びトラッキングアクチュエー
タ３５の各々は、サーボ回路１５から供給されるフォーカスエラー（ＦＥ）信号及びトラ
ッキングエラー（ＴＥ）信号に応じて対物レンズ３２を光軸方向および径方向に移動させ
る。
【００６４】
サーボ回路１５は、ヘッドアンプ１２から供給される増幅された受光信号に基づいてＦ
Ｅ信号及びＴＥ信号を生成し、それらをフォーカスアクチュエータ３４及びトラッキング
アクチュエータ３５に与えることでフォーカス制御及びトラッキング制御を行う。
【００６５】
ここで、光ピックアップ１０から出射されＤＶＤ５０に照射される上述した３つのレー
ザビームＬ１は、主ビームのスポット中心がＤＶＤ５０の１つのグルーブ５２ａ（図１参
照）の中心に位置したときに、一方の副ビームのスポットがそのグルーブ５２ａの内側面
に、他方の副ビームのスポットがそのグルーブ５２ａの外側面にそれぞれかかるような位
置関係にある。
【００６６】
そのため、サーボ回路１５は、ヘッドアンプ１２から与えられる受光信号を用いて、受
光素子３６で検出される２つの副ビームの反射光の強度の差分を演算することにより、主
ビームが目標とするグルーブ５２ａの中心に対して内側／外側のどちら側にどれだけズレ
ているのか、即ち、トラッキングエラー量を知ることができる。そして、サーボ回路１５
は、そのトラッキングエラー量をゼロにするためのＴＥ信号を生成し、そのＴＥ信号でト
ラッキングアクチュエータ３５を制御することで、ＤＶＤ５０が偏心回転しても、主ビー
ムを目標とするグルーブ５２ａの中心に正確にトレースさせることができる（トラッキン
グ制御）。尚、このトラッキング制御は、上述した３ビーム方式以外に、位相差方式（１
ビームトラッキング方式）で行うようにしても良い。
【００６７】
また、受光素子３６は、図６に示すように、実際には検出エリアが４つのエリアａ、ｂ
、ｃ、ｄに分割されており、受光素子３６に結像されるレーザビームＬ１の主ビームは、
シリンドリカルレンズ３３によって、対物レンズ３２がＤＶＤ５０に近い状態であれば縦
楕円Ａになり、遠い状態であれば横楕円Ｂになり、ピントが合った状態であれば円形Ｃに
なる。
【００６８】
このため、４つのエリアａ、ｂ、ｃ、ｄの受光強度を（ａ＋ｃ）−（ｂ＋ｄ）という演
算式で演算し、求めた演算結果から、対物レンズ３２がＤＶＤ５０に対してピントが合っ
た状態から近い側／遠い側のどちら側にどれだけズレているのか、即ち、フォーカスエラ
ー量を知ることができる。そして、サーボ回路１５は、そのフォーカスエラー量を所定の
値にするためのＦＥ信号を生成し、そのＦＥ信号でトラッキングアクチュエータ３５を制
御することで、ＤＶＤ５０が回転時に面振れを起こしても、主ビームのピントをＤＶＤ５
０上に正確に合わせることができる（フォーカス制御）。
【００６９】
図３に戻り、ステッピングモータ１８は、セットされたＤＶＤ５０の径方向に光ピック
アップ１０を移動させるためのモータである。モータドライバ１９は、モータコントロー
ラ２０から供給されるパルス信号に応じた量だけステッピングモータ１８を回転駆動する
。モータコントローラ２０は、ディスク制御部１７から指示される光ピックアップ１０の
径方向への移動方向および移動量を含む移動開始指示にしたがって、移動量や移動方向に
応じたパルス信号を生成し、モータドライバ１９に出力する。即ち、ステッピングモータ
１８が光ピックアップ１０をＤＶＤ５０の径方向に移動させること、及び、スピンドルモ
ータ２１がＤＶＤ５０を回転させることにより、光ピックアップ１０のレーザビーム照射
位置をＤＶＤ５０の様々な位置に移動させることができる。
【００７０】
また、ディスク制御部１７は、ＣＰＵ（Central Processing Unit）、ＲＯＭ（Read On
ly Memory）、ＲＡＭ（Random Access Memory）、バッファメモリ等を備えており、ＣＰ
Ｕは、ＲＯＭに格納されたファームウェア（プログラム）にしたがってディスクドライバ
１１０の各部を制御し、ＤＶＤ５０に対する再生または記録のための各種処理、及び、レ
ーベル印刷のための各種処理を中枢的に制御している。尚、ＲＡＭは各種処理時のワーク
メモリとして使用される。
【００７１】
ディスク制御部１７は、再生時には、光ピックアップ１０から再生レベルのレーザビー
ムを出射させるためにＬＤＤ１１ａ、ＬＰＣ回路１４ａに指示信号を与える。再生レベル
とは、上述したサーボ回路１５によるフォーカス制御及びトラッキング制御のために必要
な反射光が得られる照射パワーのレベルを言い、この再生レベルのレーザビームでは、Ｄ
ＶＤ５０の記録色素膜５２に記録されている電子情報（ピット）を読み取ることはできる
が、記録色素膜５２への電子情報の記録を行うことはできない。そして、ＤＶＤ５０の記
録色素膜５２から読み出されＦＥＰ１３で復調されたビデオデータ（動画情報）等の各種
データが本体部１２０を介して外部の各種再生手段（不図示）へ送信されて再生される。
【００７２】
また、電子情報の記録時には、ＤＶＤ５０に記録する電子情報であるビデオデータ（動
画情報）等が本体部１２０から送信され、ディスク制御部１７内のバッファメモリに蓄積
される。そして、ディスク制御部１７は、このバッファメモリに蓄積された電子情報に基
づいて光ピックアップ１０から記録レベルのレーザビームＬ１を出射させるためにＬＤＤ
１１ａ及びＬＰＣ回路１４ａに照射指示信号を与え、ＤＶＤ５０の記録色素膜５２に電子
情報の記録を行う。この記録レベルとは、記録色素膜５２に電子情報（ピット）を書き込
む照射パワーのレベルを言う。
【００７３】
また、このとき、画像データも本体部１２０から送信されバッファメモリに蓄積される
。この画像データとは、円盤状の光ディスクの面上に画像を形成するためのデータ、即ち
、光ディスクのレーベル面に形成する画像のビットマップデータを極座標形式のデータに
変換したものであり、光ディスクの中心点を中心とする多数の同心円上の複数の各座標点
毎にその点の階調度（濃淡）を示す情報が記述されているデータである。
【００７４】
そして、ディスク制御部１７はバッファメモリに蓄積されたこの画像データに基づいて
、可視光特性変化層５５を変色（または変形）させるために必要なパワーのレーザビーム
Ｌ２をレーザダイオード３７ｂから出射させるためにＬＤＤ１１ｂ及びＬＰＣ回路１４ｂ
に照射指示信号を与え、これにより、可視光特性変化層５５のレーザビームＬ２が照射さ
れた部分が変色（または変形）を起こし、可視光特性変化層５５に画像が形成される。
【００７５】
次に、ディスクドライバ１１０を制御し、ディスク制御部１７との間で各種データを送
受信する本体部１２０の構成を説明する。本体部１２０は、インターフェース２２と、メ
インＣＰＵ２３と、ＤＶＤレコーダ１００の各構成要素及びＤＶＤレコーダ１００全体を
制御するシステム制御部２４と、内蔵するハードディスクに各種データ等を記憶するＨＤ
Ｄ２５と、入力部２６とを備えている。
【００７６】
入力部２６は、スイッチ、ボタン或いはリモコン等から構成され、ユーザの操作内容に
応じた信号をシステム制御部２４へ出力するものである。これにより、ユーザは、種々の
データを本体部１２０に入力することができ、ＤＶＤレコーダ１００を操作することがで
きる。
【００７７】
また、インターフェース２２には、チューナ、ビデオカメラ、ビデオデッキ等の外部入
力機器からビデオデータ（動画情報）等の電子情報が入力され、インターフェース２２か
らは、テレビジョン受像機やモニタ機器といったディスプレイ装置などの外部出力機器へ
、再生されたビデオデータやＧＵＩ（Graphical User Interface）画面を表示するための
信号が出力される。
【００７８】
メインＣＰＵ２３は、図示しないＲＡＭ、ＲＯＭを有しており、ＲＡＭを作業領域とし
てＲＯＭに格納されたプログラム及びデータや、入力部２６からの信号に従った演算処理
を行い、この演算処理によってシステム制御部２４を制御する。
【００７９】
また、システム制御部２４は、本実施形態の特徴とする構成要素として、ＤＶＤ５０の
レーベル面に形成する画像の画像データを生成する画像データ生成手段２４ａを有してい
る。尚、この画像データ生成手段２４ａは、例えば、プログラムによって実現可能である
。
【００８０】
ユーザにより入力部２６が操作されてシステム制御部２４に再生指示信号が与えられる
と、システム制御部２４は再生モードとなり、ＨＤＤ２５またはＤＶＤ５０に記録されて
いるＭＰＥＧ２等の圧縮方式によって符号化されたビデオファイルを複合化し、その複合
化したビデオデータをインターフェース２２を介して外部のディスプレイ装置に出力する
。複合化するビデオファイルの保存先がＨＤＤ２５であるかＤＶＤ５０であるかはユーザ
により選択される。
【００８１】
また、ユーザにより入力部２６が操作されてシステム制御部２４に録画指示信号が与え
られると、システム制御部２４は録画モードとなり、インターフェース２２から入力され
るビデオデータをアナログ信号からデジタル信号に変換するとともにＭＰＥＧ２等の圧縮
方式によって符号化し、ビデオファイルとしてＨＤＤ２５に記憶させる。尚、前記ビデオ
ファイルをＤＶＤ５０にダイレクトに記録することも可能である。
【００８２】
また、ユーザにより入力部２６が操作されてシステム制御部２４に編集指示信号が与え
られると、システム制御部２４は編集モードとなり、ＨＤＤ２５に記憶されているビデオ
ファイルの編集を行う。編集内容及び方法等には様々なものがあるが、ここでは一般的な
チャプタ分割について説明する。
【００８３】
チャプタ分割とは、ＨＤＤ２５に録画した１つのビデオファイルを複数のチャプタに分
割する編集作業のことであり、この編集作業をしておくと、その１つのビデオファイルの
中の見たいシーンを即座に選択しそのシーンから再生させたり、その１つのビデオファイ
ルの中の見たくないシーンを飛ばして再生させたりすることが可能となる。
【００８４】
図７は、チャプタ分割を説明するための１つのテレビジョン放送番組を模式的に示した
図である。図７において、７０は、ＨＤＤ２５に録画された例えば１つのテレビジョン放
送番組（以下、単に番組という）であり、斜線部はコマーシャルの部分を示す。
【００８５】
チャプタ分割の編集モードになると、システム制御部２４は、番組７０の先頭から再生
を開始する。そして、ユーザは外部のディスプレイ装置に表示されるその再生画像をチェ
ックしながら任意の場所で入力部２６の所定のキー等を操作して順次、チャプタマークを
入れていく。チャプタマークが入れられた所で、番組７０はチャプタに分割されるのであ
る。図７では、コマーシャルの部分の前後にチャプタマークを入れて、番組７０を７つの
チャプタ７１〜７７に分割した例を示している。
【００８６】
このようにしてチャプタ分割しておくと、この番組７０を再生する際に、分割された各
チャプタの先頭画像がサムネイル（縮小画像）として表示され、ユーザはその中から１つ
のサムネイルを選択することにより、選択したサムネイルのチャプタから再生を開始させ
ることができる。
【００８７】
さらに、プレイリストを作成しておくと、例えば、コマーシャル部分を飛ばして再生す
ることが可能となる。プレイリストとは、１つまたは複数のビデオファイルの複数のチャ
プタとその再生順序を指定するものであり、図６の例では、例えば、チャプタ７１、７３
、７５、７７の順で指定したプレイリストを作成しておけば、そのプレイリストが再生さ
れたときには、番組７０のコマーシャル部分を飛ばした映像が再生されることになる。
【００８８】
ＨＤＤ２５の記録容量は、ＤＶＤ等の記録容量に比して大きく、約８０ＧＢであれば最
長約１００時間分のビデオデータを記録することができるが、すべてを使い切ってしまえ
ば、新たな録画ができなくなったり、既に録画されているビデオファイルに上書きされて
しまったりすることになるので、残しておきたい番組のビデオファイルは、個別にＤＶＤ
等にコピーし、コピー完了後、そのビデオファイルをＨＤＤ２５から消去するようにする
とよい。そして、その際、記録したＤＶＤ等のレーベル面にはその記録したビデオファイ
ルの内容を示す画像等を記録しておくと、そのＤＶＤ等に記録されている内容等が認識で
きて便利であり、本実施形態のＤＶＤレコーダ１００は、そのような便利な機能を有して
いる。
【００８９】
次に、このような構成のＤＶＤレコーダ１００のＨＤＤ２５からＤＶＤ５０へのビデオ
データの記録動作及びレーベル印刷動作を、図８に示すフローチャートを参照して説明す
る。ここで、ＤＶＤレコーダ１００には既にＤＶＤ５０がセットされ、ＨＤＤ２５には番
組７０のビデオファイルが上述したプレイリストとともに記録されているものとする。
【００９０】
先ず、ユーザにより入力部２６が操作されてシステム制御部２４にコピー指示信号が与
えられると、システム制御部２４は、ＨＤＤ２５に記録されているビデオファイルのタイ
トル一覧画面を表示する（ステップＳ１）。尚、表示されるタイトルには、プレイリスト
が設定されているときにはそのプレイリストのタイトルも含まれる。
【００９１】
そして、ユーザは表示されたタイトル一覧画面の中からＤＶＤ５０へのコピーを希望す
るタイトルを選択する（ステップＳ２）。ここでは、上述の番組７０のプレイリストが選
択されたものとする。
【００９２】
すると、システム制御部２４は、ＨＤＤ２５に記録されている番組７０のプレイリスト
が指定するチャプタ７１、７３、７５、７７のビデオデータを読み出し、ディスク制御部
１７内のバッファメモリに転送する。また、このとき、システム制御部２４の画像データ
生成手段２４ａにより、選択されたプレイリストが指定するチャプタ７１、７３、７５、
７７の各先頭画像をそれぞれサムネイル（縮小画像）７１ａ、７３ａ、７５ａ、７７ａに
した画像の画像データが生成され、システム制御部２４は、この生成された画像データも
ディスク制御部１７内のバッファメモリに転送する。
【００９３】
即ち、ＤＶＤ５０の記録色素膜５２に記録する番組７０のビデオデータと、可視光特性
変化層５５に形成する画像の画像データであって番組７０の各チャプタの先頭画像のサム
ネイルの画像データとがディスク制御部１７へ与えられ、これらの与えられたデータがデ
ィスク制御部１７内のバッファメモリに蓄積される（ステップＳ３）。
【００９４】
次に、ディスク制御部１７は、モータ駆動回路１６を制御して、スピンドルモータ２１
によりＤＶＤ５０を所定速度で回転させる（ステップＳ４）。
【００９５】
次に、ディスク制御部１７は、ＬＤＤ１１ａ、ＬＰＣ回路１４ａに指示信号を与え、光
ピックアップ１０から再生レベルのレーザビームＬ１をＤＶＤ５０へ照射する（ステップ
Ｓ５）。そして、これ以後、照射されたレーザビームＬ１のＤＶＤ５０の色フィルタ５３
からの反射光の信号であるヘッドアンプ１２からの受光信号に基づいて、上述したサーボ
回路１５によるフォーカス制御及びトラッキング制御が行われる。
【００９６】
次に、ディスク制御部１７は、モータコントローラ２０に移動開始指示を与え、バッフ
ァメモリに蓄積されているビデオデータ及び画像データに基づいて電子情報記録及び画像
形成のためにレーザ照射を行う位置へ光ピックアップ１０を移動させる（ステップＳ６）
。
【００９７】
そして、ディスク制御部１７は、バッファメモリに蓄積されているビデオデータに基づ
いてＬＰＣ回路１４ａに照射指示信号を与え、光ピックアップ１０から照射されるレーザ
ビームＬ１の照射パワーが再生レベルと記録レベルとに切り替えられる。これにより、記
録色素膜５２へのビデオデータの記録がなされる（ステップＳ７）。
【００９８】
また、このとき、ディスク制御部１７は、バッファメモリに蓄積されている画像データ
に基づいてＬＤＤ１１ｂ、ＬＰＣ回路１４ｂに照射指示信号を与え、光ピックアップ１０
から記録レベルのレーザビームＬ２がＤＶＤ５０へ照射される（ステップＳ８）。尚、こ
のときのレーザビームＬ２の照射パワーは、画像データに含まれる階調度（濃淡）に応じ
て決められる。これにより、可視光特性変化層５５に画像が形成される。
【００９９】
また、このとき、ＤＶＤ５０の可視光特性変化層５５上に照射されるレーザビームＬ２
は、照射されているレーザビームＬ１（再生レベルまたは記録レベルのいずれか）の反射
光に基づいて対物レンズ３２がサーボ回路１５によりフォーカス制御及びトラッキング制
御されているので、可視光特性変化層５５上の画像データを形成すべき座標点に正確に位
置合わせ及びピント調整されている。
【０１００】
即ち、ＤＶＤ５０の可視光特性変化層５５には、フォーカス制御及びトラッキング制御
のためのグルーブが設けられておらず、また、画像形成のために照射するレーザビームＬ
２に関しては、その反射光に基づくフォーカス制御及びトラッキング制御を行うことなく
、可視光特性変化層５５上の所望の位置に正確にレーザビームＬ２が照射される。これに
より、ＤＶＤ５０の可視光特性変化層５５に所望の画像を正確に形成することができる。
【０１０１】
そして、ディスク制御部１７は、バッファメモリに蓄積されているビデオデータ及び画
像データのすべてに対するレーザビームＬ１、Ｌ２の照射による電子情報記録処理及び画
像形成処理を行ったか否か、即ち、記録すべき電子情報を記録し終え、且つ、形成すべき
画像を形成し終えたか否かを判別し（ステップＳ８）、まだ、記録し終えていないか、ま
たは、形成し終えていないと判別したときは、ステップＳ６に戻り、ビデオデータの記録
及び／または画像形成を継続する。
【０１０２】
一方、記録すべきビデオデータを記録し終え、且つ、形成すべき画像を形成し終えたと
判別したときは（ステップＳ８）、ＬＤＤ１１ａ、ＬＰＣ回路１４ａに指示信号を与え、
光ピックアップ１０からのレーザビームＬ１の照射を停止するとともに、モータ駆動回路
１６を制御してモータ２１によるＤＶＤ５０の回転を停止させる（ステップＳ９）。
【０１０３】
以上で、ビデオデータの記録動作及び画像形成動作が終了する。これにより、ＤＶＤ５
０のレーベル面には、図９（ａ）に示すように、選択されたプレイリストが指定するチャ
プタ７１、７３、７５、７７の先頭画像のサムネイル７１ａ、７３ａ、７５ａ、７７ａが
印刷される。
【０１０４】
尚、ＤＶＤ５０のレーベル面に印刷する画像は、選択されたプレイリストに含まれる各
チャプタの先頭画像のサムネイルに限定されるものではなく、ユーザが任意に選択した静
止画像のサムネイルであっても良い。例えば、ステップＳ３において、番組７０のプレイ
リストが選択された後に、チャプタ分割時と同様に、番組７０の先頭から再生を開始し、
ユーザが外部のディスプレイ装置に表示されるその再生画像をチェックしながら任意の場
所で指定した１つまたは複数の静止画像をサムネイル（縮小画像）にした画像データを、
システム制御部２４の画像データ生成手段２４ａにより生成し、システム制御部２４は、
この生成された画像データをディスク制御部１７内のバッファメモリに転送するようにし
ても良い。
【０１０５】
このようにすると、記録するビデオデータの内容を識別しやすいとユーザが考える静止
画像のサムネイルがＤＶＤ５０のレーベル面に印刷されることになり、記録されているビ
デオデータの内容を認識することがいっそう容易になる。また、図９（ｂ）に示すように
、印刷するサムネイル画像に、選択したタイトルのタイトル名や、そのタイトルが録画さ
れた日時、そのタイトルまたはそのチャプタの録画時間などの情報を文字情報として含め
ることも可能である。そのようにすると、ユーザの記録情報の認識がよりいっそう容易に
なる。
【０１０６】
以上説明したように、本実施形態に示すＤＶＤレコーダ１００によれば、ＤＶＤ５０に
対して、本来のビデオデータの記録を行うだけでなく、記録したビデオデータに含まれる
静止画像のサムネイルをレーベル面に形成することができる。これにより、ユーザは、目
視により、記録されているビデオデータの内容を瞬時に認識することができる。
【０１０７】
また、ユーザは、ＤＶＤ５０の記録面を光ピックアップ１０に対向させるようにしてＤ
ＶＤレコーダ１００に一度セットすれば、従来の装置と同様にしてＤＶＤ５０の記録面に
電子情報の記録をするだけでなく、レーベル面に画像を形成することができる。このため
ユーザは、専用のプリンタ装置を用意する必要はなく、情報が記録されているＤＶＤに別
途印刷したラベルシートを貼ったり、或いは、レーベル印刷を行うためにＤＶＤ５０を裏
返して再度セットしたりするような煩雑な作業をする必要がなくなる。
【０１０８】
また、本実施形態に示すＤＶＤレコーダ１００は、ＤＶＤ５０への電子情報記録とレー
ベル印刷とを同時進行で行うので、ＤＶＤ５０に情報記録とレーベル印刷の両方を行うた
めに要する時間を短縮することができる。即ち、光ディスクの電子情報記録及びレーベル
印刷を効率良く行うことができる。
【０１０９】
また、以上説明した本実施の形態に示すＤＶＤ５０では、ＤＶＤ用の光源（６３０ｎｍ
〜６９０ｎｍ帯域の光源）で情報を再生または記録し、ＣＤ用光源（７７０ｎｍ〜８００
ｎｍ帯域の光源）でレーベル印刷を行う実施例を示したが、本発明は他の例にも適用する
ことが可能である。具体的には、例えば、次世代ＤＶＤの光源である４０５ｎｍ帯域のレ
ーザ光源を用いて光ディスクに情報を記録し、そして、ＤＶＤ用の光源でレーベル印刷を
行うような例についても、本発明は適用可能である。
【０１１０】
尚、今回開示された実施の形態はすべての点で例示であって制限的なものではないと考
えられるべきである。本発明の範囲は上記した説明ではなくて特許請求の範囲によって示
され、特許請求の範囲と均等の意味及び範囲内でのすべての変更が含まれることが意図さ
れる。
【図面の簡単な説明】
【０１１１】
【図１】本発明の一実施形態の光ディスク装置が対象とする光ディスクの一例であるＤＶＤの構成を示す側断面図である。
【図２】図１に示すＤＶＤにおいて色フィルタの材料とされることが可能なシアニン色素の吸光度および屈折率を示す図である。
【図３】本発明の一実施形態のＤＶＤレコーダ（光ディスク装置）の構成を示すブロック図である。
【図４】図３に示す光ピックアップの構成を示す図である。
【図５】図３に示す光ピックアップから出射されるレーザビームの光路を説明するための図である。
【図６】図３に示す受光素子の構成を示す図である。
【図７】チャプタ分割を説明するための１つのテレビジョン放送番組を模式的に示した図である。
【図８】図３に示すＤＶＤレコーダのビデオデータ記録動作及び画像形成動作を説明するためのフローチャートである。
【図９】図３に示すＤＶＤレコーダでレーベル印刷したＤＶＤのレーベル面を示す平面図である。
【符号の説明】
【０１１２】
１０    光ピックアップ
１１ａ    レーザダイオードドライバ（ＬＤＤ、第１のレーザダイオードドライバ）
１１ｂ    レーザダイオードドライバ（ＬＤＤ、第２のレーザダイオードドライバ）
１２    ヘッドアンプ（ＨＡ）
１３    フロントエンドプロセッサ（ＦＥＰ）
１４ａ、１４ｂ    レーザパワーコントロール（ＬＰＣ）回路
１５    サーボ回路
１６    モータ駆動回路
１７    ディスク制御部（制御手段）
１８    ステッピングモータ
１９    ドライバ
２０    モータコントローラ
２１    スピンドルモータ
２２    インターフェース
２３    メインＣＰＵ
２４    システム制御部
２４ａ    画像データ生成手段
２５    ハードディスクドライブ（ＨＤＤ、記憶手段）
２６    入力部
３０    コリメータレンズ
３１    １／４波長板
３２    対物レンズ
３３    シリンドリカルレンズ
３４    フォーカスアクチュエータ
３５    トラッキングアクチュエータ
３６    受光素子
３７ａ    レーザダイオード（第１のレーザダイオード）
３７ｂ    レーザダイオード（第２のレーザダイオード）
３８ａ、３８ｂ    回折格子
３９ａ、３９ｂ    偏光ビームスプリッタ
４０    光学系
５０    ＤＶＤ（光ディスク）
５１、５４    基板
５２    色素記録膜（情報記録層）
５３    色フィルタ（二色性反射膜）
５５    可視光特性変化層（レーベル層）
５６    透明中間層
７０    テレビジョン放送番組（番組）
７１〜７７    チャプタ
７１ａ、７３ａ、７５ａ、７７ａ    サムネイル（縮小画像）
１００    ＤＶＤレコーダ（光ディスク装置）
１１０    ディスクドライバ
１２０    本体部
Ｌ１    レーザビーム（第１のレーザビーム）
Ｌ２    レーザビーム（第２のレーザビーム）
【図１】
2006155811.tif 000004
【図２】
2006155811.tif 000005
【図３】
2006155811.tif 000006
【図４】
2006155811.tif 000007
【図５】
2006155811.tif 000008
【図６】
2006155811.tif 000009
【図７】
2006155811.tif 000010
【図８】
2006155811.tif 000011
【図９】
2006155811.tif 000012